(57)【要約】【課題】ディスクドライブの簡単な取り付けと取り外しを可能にする、コンピュータシステムのためのハウジング、コンピュータシステム並びにコンピュータシステムの組付け方法を提供する。【解決手段】  本発明は、側面（４）を備える側壁（３）を有する、コンピュータシステム（１）のための、特にデスクトップコンピュータシステムのためのハウジング（２）に関するものであり、側壁（３）は側面（４）と平行な底面（７）を備える陥入部（６）を有し、陥入部（６）は第１のフォームファクタを備える第１のディスクドライブを収納するために構成されており、底面（７）には第２のフォームファクタを備える第２のディスクドライブ（９）を収納するための切欠き（８）が構成されている。さらに本発明は、コンピュータシステム（１）並びに組付け方法に関する。 【選択図】図１
2016045962.tif 000002
【特許請求の範囲】
【請求項１】
コンピュータシステムのための、特にデスクトップコンピュータシステムのためのハウジングであって、
側面を備える側壁を有し、
前記側壁は前記側面と平行な底面を備える陥入部を有し、前記陥入部は第１のフォームファクタを備える第１のディスクドライブを収納するために構成されており、
前記底面には、第２のフォームファクタを備える第２のディスクドライブを収納するための切欠きが構成されている、
ハウジング。
【請求項２】
前記切欠きは、２．５インチのメモリディスクドライブを前記第２のディスクドライブとして収納するように構成されている、請求項１に記載のハウジング。
【請求項３】
前記陥入部は、５  １／４インチのＯＤＤスリムライン・ディスクドライブを前記第１のディスクドライブとして収納するように構成されている、請求項１又は２に記載のハウジング。
【請求項４】
前記切欠きは、
第１の設計高さを有する第２のディスクドライブを収納するときには前記第２のディスクドライブが前記底面から突き出さず、
第２の設計高さを有する第２のディスクドライブを収納するときには前記第２のディスクドライブが前記側面から突き出さないように構成された固定手段を有する、請求項１から３のいずれか一項に記載のハウジング。
【請求項５】
前記固定手段は、前記第２のディスクドライブをねじなしで前記切欠きに収納可能であるように構成されている、請求項１から４のいずれか一項に記載のハウジング。
【請求項６】
前記固定手段は、前記切欠きの向かい合う２つのエッジに沿って配置され、前記第２のディスクドライブに差し込み可能な２つの保持レールを嵌合式に収納するように構成された、向かい合う２つの保持ストリップを含む、請求項４又は５に記載のハウジング。
【請求項７】
前記保持ストリップは、第１のゲート状の切欠き及び第２のゲート状の切欠きをそれぞれ有し、両方の前記のゲート状の切欠きは、前記保持レールの対応する案内部材を収納するようにセットアップされている、請求項６に記載のハウジング。
【請求項８】
前記保持ストリップの前記第１のゲート状の切欠きは、少なくとも部分的に前記側面に対して法線方向に延びておらず、前記保持ストリップの前記第２のゲート状の切欠きは前記側面に対して実質的に法線方向に延びている、請求項７に記載のハウジング。
【請求項９】
前記ハウジングの前記側壁は、前記ハウジングの２つの別の側壁に対して旋回可能なように構成されており、前記別の側壁は、旋回可能な前記側壁に対して実質的に垂直に配置されている、請求項１から８のいずれか一項に記載のハウジング。
【請求項１０】
請求項１から９のいずれか一項に記載のハウジングを有するコンピュータシステムであって、
第２のディスクドライブを有し、
前記第２のディスクドライブは、前記底面の前記切欠きに前記固定手段を介してねじなしで収納される、
コンピュータシステム。
【請求項１１】
２つの保持レールをさらに有し、
前記ハウジングは、２つの向かい合うエッジに沿って、前記第１のゲート状の切欠き及び前記第２のゲート状の切欠きをそれぞれ有する２つの前記保持ストリップを有し、
前記保持レールは、向かい合うように前記第２のディスクドライブに差し込まれており、
前記保持レールは、それぞれ２つの案内部材によって、前記保持ストリップの対応する両方の前記のゲート状の切欠きに収納されている、請求項１０に記載のコンピュータシステム。
【請求項１２】
前記切欠きを覆うために前記ハウジングのＥＭＣシールドのためのＥＭＣ防護カバーが、少なくとも部分的に前記第２のディスクドライブの周囲に配置されている、請求項１０又は１１に記載のコンピュータシステム。
【請求項１３】
各々の前記保持レールは、前記切欠きの領域でそれぞれの前記保持レールを前記ハウジングと係止するための係止手段を有する、請求項１１又は１２に記載のコンピュータシステム。
【請求項１４】
請求項１１から１３のいずれか一項に記載のコンピュータシステムにディスクドライブを組付けるための組付け方法であって、
前記ディスクドライブの向かい合う側に、保持レールが差し込まれる工程と、
前記保持レールのそれぞれ第１の案内部材が、前記ハウジングの保持ストリップの対応する第１のゲート状の切欠きへ挿入される工程と、
前記保持レールのそれぞれ第２の案内部材が、前記ハウジングの保持ストリップの対応する第２のゲート状の切欠きへ挿入される工程と、
両方の前記保持レールが、前記保持レールのそれぞれの係止手段によって、前記切欠きの領域で前記ハウジングと係止される工程と、
を含む、方法。
【発明の詳細な説明】
【技術分野】
【０００１】
本発明は、コンピュータシステムのためのハウジング、コンピュータシステム並びに組付け方法に関する。
【背景技術】
【０００２】
ミニＰＣやオールインワンコンピュータのようなコンパクトに構成されたコンピュータシステムは、設計形態が省スペースであり、そのコンポーネントがハウジングの中で稠密に配置されるという特徴がある。こうしたコンパクトな設計形態は、しばしばコンピュータシステムの特定のコンポーネントの保守性や交換可能性を犠牲にしている。典型的な場合、このようなコンポーネントは容易にアクセス可能でない。特にディスクドライブ、メモリドライブ、光学ドライブなどの取り付けや取り外しがしばしば問題となる。
【発明の概要】
【０００３】
本発明の根底にある課題は、ディスクドライブの簡単な取り付けと取り外しを可能にする、コンピュータシステムのためのハウジング、コンピュータシステム並びにコンピュータシステムの組付け方法を提供することである。
【０００４】
本発明の第１の態様では、側面を備える側壁を有する、コンピュータシステムのための、特にデスクトップコンピュータシステムのためのハウジングが記載される。この側壁は、ハウジングの底面壁又は天井壁であるのが好ましい。側壁は、側面と平行な底面を備える陥入部を有している。陥入部は、第１のフォームファクタを備える第１のディスクドライブを収納するために構成されている。陥入部の底面には、第２のフォームファクタを備える第２のディスクドライブを収納するための切欠きが構成されている。
【０００５】
このハウジングは、コンパクトな設計形態と、２つのディスクドライブの省スペースな取り付けとを可能にする。これらは、ハウジングの外面からその中に収納される。このように、両方のディスクドライブの組付けを、簡単なやり方でハウジングの外部から行うことができる。両方のディスクドライブの交換も簡単なやり方で可能である。そのために、両方のディスクドライブをそのフォームファクタに応じて収納するためにそれぞれ構成された、陥入部及び陥入部に刻設された切欠きを設けるだけでよい。このようにハウジングは、２つのディスクドライブを上下して外部からハウジングへ組み込めるようにすることを可能にする。このとき、切欠きと陥入部は、両方のディスクドライブが挿入されるときに第１のディスクドライブが第２のディスクドライブを覆うように構成されているのが好ましい。さらに陥入部は、収納された第１のディスクドライブが側壁の側面と同一平面上で終わるように構成されている。
【０００６】
第１のディスクドライブは５  １／４インチのＯＤＤ（光ディスク：ｏｐｔｉｃａｌ  ｄｉｓｋ  ｄｒｉｖｅ）スリムライン・ディスクドライブであるのが好ましい。切欠きは、２．５インチのメモリディスクドライブを収納するように構成されるのが好ましい。それに応じて、切欠きと陥入部は、両方のディスクドライブのフォームファクタに合わせて適合化されている。
【０００７】
冒頭に述べたとおり、あらゆるコンピュータはＥＭＣシールド式のハウジングを必要とする。このシールドは、通常、薄板ハウジングによって実現されるか、あるいは、シールドフィルムを備えたプラスチックハウジングによって実現される。良好なＥＭＣシールドは、比較的大きな開口部又はスリットを排除するので、１つの実施形態では、ハウジングは、切欠きを遮蔽するためのＥＭＣ防護カバーをハウジングに配置可能であるように構成される。そのためにハウジングは、例えば、係止部材、固定ストリップなどを有している。第２のディスクドライブが挿入されるとき、ＥＭＣ防護カバーは第２のディスクドライブを少なくとも部分的に取り囲み、それによってハウジングがＥＭＣシールドされる。従って、第１のディスクドライブが収納されるとき、これはハウジングのＥＭＣ防護領域の外部に配置される。
【０００８】
別の実施形態では、切欠きは、一方では、第１の設計高さを有する第２のディスクドライブが収納されるときに第２のディスクドライブが底面から突き出さないように構成される固定手段を有している。他方では、固定手段は、第２の設計高さを有する第２のディスクドライブが収納されるときに第２のディスクドライブが側面から突き出さないように構成されている。典型的な場合、第１の設計高さと第２の設計高さは６ｍｍから１５ｍｍの間で変動し、第２の設計高さは常に第１の設計高さよりも大きい。第１のディスクドライブは、典型的な場合、９ｍｍから１２．５ｍｍの設計高さを有している。例えば、第１の設計高さは約７．０ｍｍであり、第２の設計高さは約１５．０ｍｍである。第１の設計高さを有する第２のディスクドライブが使用される場合では、第１のディスクドライブも陥入部に収納することができる。第２の設計高さを有するディスクドライブが希望される場合については、さらに固定手段は、ディスクドライブの外面が陥入部の底面からは突き出すが、ハウジングの側面からは突き出さないように構成される。このことは、第１のディスクドライブを陥入部に収納可能ではないという帰結をもたらす。従って、ハウジングは、ユーザーのニーズと希望とに応じて、第１のフォームファクタないし第２のフォームファクタを有する１つ又は２つのディスクドライブのモジュール形式の利用を可能にする。
【０００９】
別の実施形態では、固定手段は、第２のディスクドライブをねじなしで切欠きに収納可能であるように構成される。従って、第２のディスクドライブの簡単な組付けが可能となり、特に、工具やその他の部材、例えば、ねじ、リベットなどを設けなくてよい。従って、組付け時間を節減することができ、ひいてはこのことは、このようなハウジングを備えるコンピュータシステムのコスト全体に対して有効に作用する。
【００１０】
別の実施形態では、固定手段は、切欠きの向かい合う２つのエッジに沿って配置され、第２のディスクドライブに差し込み可能な２つの保持レールを嵌合式に収納するように構成された、向かい合う２つの保持ストリップを含む。保持ストリップは、側壁の底面そのものから成形されていてよく、あるいは、別個のコンポーネントとして切欠きのエッジの領域に固着されていてよい。
【００１１】
保持ストリップは、保持レールの対応する案内部材を収納するようにそれぞれセットアップされた、第１のゲート状の切欠きと、第２のゲート状の切欠きとをそれぞれ有しているのが好ましい。このように、第２のディスクドライブを保持レールによって、ねじなしでハウジングに固着する簡単な手段が与えられる。例えば、案内部材は、ピン状又はボルト状の突起として構成される。
【００１２】
別の実施形態では、保持ストリップの第１のゲート状の切欠きは少なくとも部分的に側面の法線方向に延びておらず、保持ストリップの第２のゲート状の切欠きは実質的に側面の法線方向に延びている。それにより、第１の案内部材によって保持レールを例えば、まず斜めに第１のゲート状の切欠きへ挿入し、次いで、第１のゲート状の切欠きに対して第１の案内部材の周囲で旋回させて、保持レールを第２の案内部材によって第２のゲート状の切欠きへ挿入可能であるようにすることができる。このように構成されたゲート状の切欠きは、第２のディスクドライブの簡単かつミスの起こりにくい組付けに貢献する。それにもかかわらず、第２のディスクドライブの機械的に確実な固着が保証される。
【００１３】
別の実施形態では、ハウジングの側壁は、ハウジングの別の側壁に対して旋回可能に構成されている。このように、例えば、第２のディスクドライブをハウジングの内部で他のコンポーネントと電気的に結合するために、側壁の旋回によってハウジングを容易に開くことができる。
【００１４】
本発明の第２の態様では、ねじなしで固定手段を介して底面の切欠きに収納された、第２のフォームファクタを備える第２のディスクドライブを有する、本発明の第１の態様に基づくハウジングを備えるコンピュータシステムが開示される。
【００１５】
１つの実施形態では、コンピュータシステムは、ディスクドライブに差し込まれた２つの保持レールを有している。保持レールを介して、第２のディスクドライブは保持ストリップへ嵌合式に配置されて、ハウジングに収容される。
【００１６】
別の実施形態では、切欠きを覆うために、ハウジングのＥＭＣシールドのためのＥＭＣ防護カバーが少なくとも部分的に第２のディスクドライブの周囲に配置される。
【００１７】
別の実施形態では、各々の保持レールは、切欠きの領域でそれぞれの保持レールをハウジングと係止するための係止手段を有している。このように、保持レールがハウジングで位置固定されながら係止されて固着される。従って、第２のディスクドライブがハウジングの中で機械的に確実かつ安定的に配置される。
【００１８】
本発明の第３の態様では、本発明の第２の態様に基づくコンピュータシステムでディスクドライブを組付けるための組付け方法が記載される。この組付け方法は、次の各工程を含む：
−ディスクドライブのそれぞれ向かい合う側で保持レールが差し込まれ；
−ハウジングの保持ストリップの対応する第１のゲート状の切欠きの中へ保持レールの第１の案内部材がそれぞれ挿入され；
−ハウジングの保持ストリップの対応する第２のゲート状の切欠きの中へ保持レールの第２の案内部材がそれぞれ挿入され；
−切欠きの領域で保持レールのそれぞれの係止手段によって、両方の保持レールがハウジングと係止される。
【００１９】
この組付け方法は、基本的に、前述した各利点を可能にする。
【００２０】
その他の好ましい実施形態は、従属請求項並びに実施例に関する以下の詳細な説明に開示されている。次に、実施例について添付の図面を参照しながら説明する。図面では、同じ種類ないし同じ働きをするコンポーネントには同じ符号が付されている。
【００２１】
図面には次のものが示されている。
【図面の簡単な説明】
【００２２】
【図１】メモリディスクドライブを備えるコンピュータシステムの上側部分を示す分解図である。
【図２】コンピュータシステムを組付けられた状態で示す斜視詳細図である。
【図３】コンピュータシステムを示す別の斜視図である。
【図４】第１のシステムコンフィギュレーションに基づくコンピュータシステムを示す別の斜視図である。
【図５】第１のシステムコンフィギュレーションに基づくコンピュータシステムを示す別の斜視図である。
【図６】第２のシステムコンフィギュレーションに基づくコンピュータシステムを示す別の斜視図である。
【図７】第２のシステムコンフィギュレーションに基づくコンピュータシステムを示す別の斜視図である。
【図８】コンピュータシステムの組付け方法のフローチャートである。
【発明を実施するための形態】
【００２３】
図１は、コンピュータシステム１の上側部分の分解図を示している。このコンピュータシステム１は、いわゆるミニＰＣである。コンピュータシステム１は極めてコンパクトに構成されており、ハウジング２（図１では部分的に図示）を有している。ハウジング２は、平坦な側面４を有する第１の側壁３を有している。側面４ないし側壁３に対して垂直に、ハウジング２は、第１の側壁３に対して垂直に配置された２つの別の側壁５（そのうち、一方は図１では隠れている）を有している。
【００２４】
第１の側壁３は、側面４と平行な底面７を有する陥入部６を有している。陥入部６は、第１のディスクドライブとしての５  １／４インチのＯＤＤスリムライン・ディスクドライブを中に収納できるように構成されている。側壁３の陥入部６は、別個のハウジング部分であってよく、あるいは、側壁３と一体的に形成されていてよい。そのため、例えば、陥入部６は、曲げ、型押し及び／又は打抜きなどの成形プロセスによって作製されていてよい。
【００２５】
陥入部６の底面７には、第２のディスクドライブとしてのメモリディスクドライブ９を収納するように構成された切欠き８が設けられている。メモリディスクドライブ９は、２．５インチのハードディスクドライブである。ここでは、切欠き８並びに陥入部６は、第１のディスクドライブ及び第２のディスクドライブのフォームファクタに準じて適合化されている。切欠きは、特にＥＭＣシール及び他のコンポーネントへの接続のために、ハウジング２の内部に向かって開いている。
【００２６】
ハウジング２にメモリディスクドライブ９を組付けるために、メモリディスクドライブ９の２つの向かい合う短辺へ側方から差し込み可能である２つの保持レール１０が設けられている。そのために保持レール１０は、メモリディスクドライブ９の側方の固定開口部１２に挿通される２つの保持ピン１１をそれぞれ有している（部分的に隠れている）。保持レール１０は、それぞれ保持ピン１１と向かい合う側に、第１の案内部材１３及び第２の案内部材１４を有している。両方の第１の案内部材１３及び第２の案内部材１４は、同種類として構成されており、それぞれ円筒形の突起として構成されている。
【００２７】
コンピュータシステム１ないしハウジング２は、メモリディスクドライブ９の簡単で特にねじのない組付けを可能にする。これに加えて陥入部６には、さらに別のディスクドライブ、すなわち、５  １／４インチのＯＤＤスリムライン・ディスクドライブを収納することができる。これら両方のディスクドライブは、外部から容易にアクセス可能、かつ、組付け可能である。特に、他の工具や追加のコンポーネントを使わずにすませることができる。
【００２８】
以下において、図２から図７及び図８に模式的に示す組付け方法のフローチャートを参照しながら、コンピュータシステム１へのメモリディスクドライブ９の組付けとその他の詳細について説明する。
【００２９】
組付け方法の第１のステップＳ１では（図８参照）、図１に示す保持レール１０がメモリディスクドライブ９の短辺に側方から保持ピン１１を用いて差し込まれる。
【００３０】
切欠き８の領域でメモリディスクドライブ９を組付けるために、切欠き８の２つの向かい合う長辺には２つの保持ストリップ１５が設けられている。両方の保持ストリップ１５の各々は、第１のゲート状の切欠き１６と、第２のゲート状の切欠き１７とをそれぞれ有している。第１のゲート状の切欠き１６は、少なくとも部分的に、底面７に対する法線方向に対して斜めに延びている。両方の第１のゲート状の切欠き１６及び第２のゲート状の切欠き１７は、保持レール１０の両方の第１の案内部材１３及び第２の案内部材１４を収納するように構成されている。
【００３１】
次のステップＳ２では、両方の第１の案内部材１３が対応する第１のゲート状の切欠き１６へ挿入される。このとき、メモリディスクドライブ９及び保持レール１０は、特に第１のゲート状の切欠き１６の少なくとも傾いた形状に基づき、第１の案内部材１３を介して斜めに挿入される。このとき、第１の案内部材１３は、底面７に対して平行に延びている第１のゲート状の切欠き１６の区域のそれぞれ一部である、第１のゲート状の切欠き１６のストッパまで案内される。
【００３２】
引き続き、メモリディスクドライブ９が両方の保持レール１０とともに、次のステップＳ３で、切欠き８ないし底面７の方向へ旋回させられて、第２の案内部材１４が第２のゲート状の切欠き１７に係合するようにされる。この旋回は、特に、少なくとも第１の案内部材１３が円筒状に作製されていて、それにより、当該部材の周囲での容易な旋回を可能にすることによって、容易、かつ、可能となる。
【００３３】
メモリディスクドライブ９とともに保持レール１０を位置固定するために、各々の保持レール１０の自由端には、係止部材１８が一体成形されている。係止部材１８は弾性作用のあるストリップとして構成されるとともに、これに一体成形された係止ラグ１９をそれぞれ有している。
【００３４】
ステップＳ４で、メモリディスクドライブ９が保持レール１０とともに取り付け位置へと旋回させられ、係止部材１８が係止ラグ１９により切欠き８のエッジの領域でハウジング２に係止される。そのために切欠き８の領域には、保持ストリップ１５に対して垂直に配置された別の固定ストリップ２０が配置されている。その様子は、図２の構造１の斜視詳細図に示されている。固定ストリップ２０は、係止ラグ１９に対応して、対応する係止開口部２１をそれぞれ有しており、その中にそれぞれの係止ラグ１９が係止状態のときに係合する。このように、メモリディスクドライブ９は機械的に確実に位置固定されて、ハウジング２の切欠き８に固着される。
【００３５】
固定ストリップ２０は、本実施例では、陥入部６を形成するハウジング壁の下面に固定された別個のハウジング部材である。別案として、固定ストリップ２０は陥入部６を形成するハウジング壁と一体的に作製される。
【００３６】
両方の保持ストリップ１５は、（図３に示すように）底面壁を介して結合されている。任意選択として、固定ストリップ２０も底面壁と結合されていてよい。別案として、保持ストリップ１５及び／又は固定ストリップ２０は、図１に示すように結合されない。
【００３７】
任意選択のステップＳ５（図８に破線で図示）で、側壁３が別の側壁５に対して旋回させられる。この状態が図３に示されている。そのために側壁３は、ジョイントを介して、別の側壁５と旋回可能に連結されている。側壁３の旋回は、メモリディスクドライブ９をハウジング２の内部で別のコンポーネントと、例えば主配線板と、電気的、信号工学的に結合するという目的に資するものである。ステップＳ５に基づく旋回をする場合、側壁３は再び図４に示す状態に戻るように旋回させられる。
【００３８】
別案としてメモリディスクドライブ９は、特に前述したコンピュータシステム１の主配線板のような別のコンポーネントと導電接続されたコネクタに、ダイレクト差し込みによって接続されていてもよい。この場合では、側壁３を旋回させたり、側壁３を全般的に旋回可能に配置したりする必要はない。
【００３９】
メモリディスクドライブ９は、第１のシステムコンフィギュレーションでは、７．０ｍｍの第１の設計高さを有する２．５インチのメモリディスクドライブである。図４に示すように、メモリディスクドライブ９は取り付け状態のとき、メモリディスクドライブ９が底面７と同一平面上で終わるように、切欠き８の中で保持ストリップ１５ないし保持レール１０により収納される。このように陥入部６に、本実施例では１０ｍｍの設計高さを有する５  １／４インチのＯＤＤスリムライン・ディスクドライブを取り付けることが可能である。
【００４０】
冒頭で述べたとおり、コンピュータシステムの各々のハウジングは、ＥＭＣシールドされているのがよい。それに応じて、ステップＳ６では、切欠き８を覆うために、第１のシステムコンフィギュレーションでは、図５に示すようにメモリディスクドライブ９の上に配置されるＥＭＣ防護カバー２２が、ハウジング２に取り付けられる。このとき、ＥＭＣ防護カバー２２は切欠き８の領域に配置される。例えば、ＥＭＣ防護カバー２２は、ハウジング２と切欠き８の領域で係止される。
【００４１】
図６及び図７に対応する第２のシステムコンフィギュレーションでは、メモリディスクドライブ９は１５．０ｍｍの第２の設計高さを有する２．５インチのメモリディスクドライブ９である。このような設計高さの場合、メモリディスクドライブ９は底面７から突き出して、陥入部６によって設けられている５  １／４インチのＯＤＤスリムライン・ディスクドライブ用の設計スペースの中に入る（図６参照）。図７では、ステップＳ６で、形状がメモリディスクドライブ９に合わせて適合化されたＥＭＣ防護カバー２２が取り付けられている。しかしながら、図６及び図７を参照して説明している第２の実施例では、５  １／４インチのＯＤＤスリムライン・ディスクドライブを陥入部６に収納することは可能ではない。
【００４２】
図１から図７を参照して説明したハウジング２は、第１の態様では、２つのディスクドライブのモジュール形式の適用可能性を可能にする。第１のフォームファクタをもつ第１のディスクドライブと、第２のフォームファクタをもつ第２のディスクドライブとしてのメモリディスクドライブ９とを選択的に取り付けることができる。このように、陥入部６と切欠き８とを備えるハウジング２は、さまざまな利用目的のためにモジュール形式で適用可能である。第２の態様では、このハウジングは、保持レール１０ないし保持ストリップ１５によって、ねじや工具のような他の部材を援用することなく、メモリディスクドライブ９の簡単で、ねじのない組付けを可能にする。
【００４３】
第２の態様は、第１の態様と切り離しても有意義である。その場合、陥入部６及び／又は切欠き８を省略することができ、保持レール１０によるハウジング２へのメモリディスクドライブ９の簡単な組付けに重点が置かれる。そのために、ハウジング２は、必ずしもハウジング２の切欠きの領域に配置されなくてよい保持ストリップ１５を有している。
【符号の説明】
【００４４】
１  コンピュータシステム
２  ハウジング
３  側壁
４  側面
５  別の側壁
６  陥入部
７  底面
８  切欠き
９  メモリディスクドライブ
１０  保持レール
１１  保持ピン
１２  側方の固定開口部
１３  第１の案内部材
１４  第２の案内部材
１５  保持ストリップ
１６  第１のゲート状の切欠き
１７  第２のゲート状の切欠き
１８  係止部材
１９  係止ラグ
２０  固定ストリップ
２１  係止開口部
２２  ＥＭＣ防護カバー
Ｓ１からＳ６  ステップ
【図１】
2016045962.tif 000003
【図２】
2016045962.tif 000004
【図３】
2016045962.tif 000005
【図４】
2016045962.tif 000006
【図５】
2016045962.tif 000007
【図６】
2016045962.tif 000008
【図７】
2016045962.tif 000009
【図８】
2016045962.tif 000010